(57)【要約】【課題】災害等の非常時に備えた十分な量の浄水を備蓄することができる、消火機能及び貯水機能を備えた浄水供給装置を提供する。【解決手段】  この発明の消火機能及び貯水機能を備えた浄水供給装置１００は、浄水７０を貯留する第１筐体１０と、該浄水７０に接する気体層４０と、第１筐体１０と連結する第２筐体２０と、第２筐体の一部に収納された不活性ガスボンベ３０と、該不活性ガスボンベを開封する開封機構と、第１筐体１０又は第２筐体２０に設けられた上水供給用の導入口２１と、該導入口から浄水フィルター５０を介して第１筐体１０に浄水を送給可能とするとともに、該不活性ガスボンベ３０から第１筐体１０に不活性ガスを送給可能に共用する第１流路１と、第１筐体１０内の該浄水７０を吐出口２２に送給可能にする第２流路２と該吐出口２２から延設された吐出管２６の一部に設けられた開閉弁２３とを備えている。【選択図】図２
2006289278.tif 000002
【特許請求の範囲】
【請求項１】
浄水を貯留する第１筐体と、
前記浄水に接する気体層と、
第１筐体と連結する第２筐体と、
第２筐体の一部に収納された不活性ガスボンベと、
前記不活性ガスボンベを開封する開封機構と、
第１筐体又は第２筐体に設けられた上水供給用の導入口と、
前記導入口から浄水フィルターを介して第１筐体に浄水を送給可能とするとともに、前記不活性ガスボンベから第１筐体に不活性ガスを送給可能に共用する第１流路と、
第１筐体内の前記浄水を吐出口に送給可能にする第２流路と
前記吐出口または前記吐出口から延設された吐出管の一部に設けられた開閉弁とを備えた
浄水供給装置。
【請求項２】
前記導入口と水道管を接続するコネクタと、
前記コネクタに内設された逆止弁とを備えた
請求項１に記載の浄水供給装置。
【請求項３】
前記導入口と水道管とを接合するコネクタと、
前記コネクタに内設された前記導入口側の第１逆止弁と、
前記コネクタに内設された水道管側の第２逆止弁とを備えた
請求項１に記載の浄水供給装置。
【請求項４】
第1筐体内に貯留する浄水の体積と前記気体層の占める体積との関係が、前者１に対して後者が０．１５以上であることを特徴とする
請求項１に記載の浄水供給装置。
【請求項５】
前記気体層の気体が酸素または窒素を含む混合気体からなる
請求項１に記載の浄水供給装置。
【請求項６】
第１筐体の底面が下に凸の曲面であることを特徴とする
請求項１に記載の浄水供給装置。
【請求項７】
第１筐体の底面と第２流路に設けられた浄水供給用の導入口との距離が３ｍｍ以上１０ｍｍ以内であることを特徴とする
請求項１に記載の浄水供給装置。
【発明の詳細な説明】
【技術分野】
【０００１】
本発明は消火機能及び貯水機能を備えた浄水供給装置に関するものである。
【背景技術】
【０００２】
従来、消火機能、貯水機能及び浄水機能はそれぞれ独立した装置として存在している。例えば、水道水を利用する消火機能を備えた装置として、特許文献１に示す消火ポンプ、あるいは特許文献２及び特許文献３に示す消火栓が開示されている。また、特許文献４には地震等の災害時に生活用水を貯蔵する飲料貯蔵装置が開示されている。
【０００３】
しかし、いずれの装置も独立した装置であり、目的とする用途以外の使用は不可能である。
【０００４】
【特許文献１】特開平１１−１６４８９９号公報
【特許文献２】特開２０００−３３４０６１号公報
【特許文献３】特開平０８−０５７０７６号公報
【特許文献４】特開平０９−１８９０５６号公報
【発明の開示】
【発明が解決しようとする課題】
【０００５】
消火装置は、日常的に使用するものではないため、直ぐに手に届く場所に置いておくべきことは理解しつつも、現実には火気から離れた所に置かれていることが多い。例えば見つけにくい場所に消火装置を設置している場合、いざという時の迅速な初期消火ができない。また、住宅に防災設備を設置するには敷設費が高価である。さらに、消火栓の場合、設置してある場所から火災場所が離れている時に、消火できないという問題点がある。
【０００６】
一方、貯水装置も同様に、地震等の災害発生時において使用するものであって日常的に使用するものではないため、装置内の水は、飲料用として常に使用可能な状態にしておく必要がある。従って、水を定期的に入れ替えなければならない。また、一般消費者は、いわゆる健康ブームを反映して、たとえ飲料水といえども公共の上水道から供給される水では満足せず、浄化された水を飲料水として一般的に利用するようになった。しかしながら、前述のように、貯水装置はいわゆる緊急用であるため、浄化された水を保存するものはなく、消費者もこの事実に甘んじている状況といえる。
【０００７】
この発明は、かかる事情に鑑みてなされたものであり、火災発生時の初期消火に迅速に対応できるように、消火装置を使いやすい場所に配置するとともに、特に意識することなく災害等の非常時に備えた十分な量の浄水を備蓄することができる、消火機能及び貯水機能を備えた浄水供給装置を提供すること目的とする。
【課題を解決するための手段】
【０００８】
発明者は、災害大国である日本ですら、最近各地で頻発する地震等の災害に対して、一般市民が十分な備えをしていない現状に心を痛め、この問題を解決する方策を鋭意検討した。家庭内における災害対策として、最も一般的な設備は消火器であるが、発明者は、消火器が防災のためにのみ存在することが一般家庭において隅に追いやられている主な理由であることに着目した。
【０００９】
他方、特に日本ではいわゆる健康ブームが定着している。その中でも、人間が一番利用する機会の多い「水」に対しての関心は非常に高く、浄水装置の普及率は高まる傾向にある。しかし、その一方で災害時に備える貯水装置の普及率は消火器に比べて更に低いことに発明者は着目した。そこで、発明者は、健康ブームの中で普及する浄水装置を災害時にも役立てるように工夫すれば、災害時において、最も重要な初期段階における危機から一般市民を救うことができるのではないかと考え、上記すべての機能を一体化とする手段を鋭意研究した。
【００１０】
その結果、発明者は、浄水供給装置に不活性ガスボンベを設けることで、火災時に装置内を加圧し、装置内の水を消化剤として利用する構成を見出した。また、浄水供給装置の持ち運びを可能とすることで、災害時に浄水供給装置内の水を生活用水として有効利用でき、さらに、消火器における配置の問題及び貯水装置におけるいわゆる「死に水」の問題を解消する構成を併せて見出し、この発明を完成した。
【００１１】
すなわち、この発明の消火機能及び貯水機能を備えた浄水供給装置は、浄水を貯留する第１筐体と、該浄水に接する気体層と、第１筐体と連結する第２筐体と、第２筐体の一部に収納された不活性ガスボンベと、該不活性ガスボンベを開封する開封機構と、第１筐体又は第２筐体に設けられた上水供給用の導入口と、該導入口から浄水フィルターを介して第１筐体に浄水を送給可能とするとともに、該不活性ガスボンベから第１筐体に不活性ガスを送給可能に共用する第１流路と、第１筐体内の該浄水を吐出口に送給可能にする第２流路と該吐出口から延設された吐出管の一部に設けられた開閉弁とを備えている。
【００１２】
この構成を採用すれば、不活性ガスボンベを開封することにより、該不活性ガスボンベ内のガスが浄水と接する気体層とあいまって、貯留する水を加圧し、消火装置として十分な放水機能を発揮させることができる。ここで、不活性ガスボンベを開封する開封機構とは、例えば、該ボンベの筐体の一部を突き刺すピンまたは刃物等が、これと連結する第２筐体外部に設けたボタンを手動で押し込むことにより、該ボンベの開封を行うものである。さらに、該開封機構には、誤作動を防ぐ安全機構を備えることが好ましい。該開封機構の誤作動を防ぐ安全機構は、安全栓やストッパー等であり、本体の転倒や子供によるいたずらや誤作動等により、不活性ガスボンベの必要時以外の開封を防ぐことができるため、安全面において有効である。
【００１３】
また、この装置は、第１筐体と第２筐体の２つの筐体から構成されている。従って、第２筐体を第１筐体から取り外すことにより、浄水フィルターの交換も可能となり、常に浄水を供給することができる。また、不活性ガスボンベを交換することで、消火装置として何度も使用することができる。これは、一般的な使い捨ての消火器に比べて経済的にも有利である。尚、不活性ガスボンベの入れ替えを考慮しなければ、第１筐体と第２筐体が一体物として構成されることを妨げない。また、上述の開閉弁に開閉を制御するためのレバー等を備え、該吐出管から吐出する水量を調節する流量制御機構を備えることで、放水の可能な範囲を調節することが容易となる。即ち、水量の調節をすることにより、消火の際、必要な箇所に必要量の水を放水することができる。さらに、該吐出管の、例えば先端部であるノズル近くにレバー及び制御機構を備えることで、該開閉弁の開閉及び水量の調節を手元で行うことができるため、操作性が向上する。
【００１４】
ところで、上述の浄水供給装置は、上水供給用の導入口と水道管を接合するコネクタと、該コネクタに内設された逆止弁とを備えることで、該装置を水道管から取り外した際にも、該導入口からの上水の流出を防ぐことができる。また、該装置を水道管から取り外すことにより、持ち運ぶことも可能となる。これは特に消火装置として機能させる際、あるいは、災害の際に有効となる。また、上述の浄水供給装置は、上水供給用の導入口と水道管とを接合するコネクタと、該コネクタに内設された該導入口側の第１逆止弁と、該コネクタに内設された水道管側の第２逆止弁とを備えた構成を採用することが好ましい。この構成により、該装置を水道管から取り外して、持ち運が可能となるだけでなく、水道管に開閉機構を設けていない場合にも、該導入口からの上水及び水道管からの上水の双方の流出を防ぐことができる。
【００１５】
さらに、上述の浄水供給装置は、第１筐体内に貯留する浄水の体積と該気体層の占める体積との関係が、前者１に対して、後者が０．１５以上に設定される。この構成を採用することにより、加圧時の気体の圧縮量を大きくとることができる。この結果、初期圧力を比較的低く抑えることができるとともに、放水最終時においてもなお有効な放水距離を保つ圧力を維持できる。さらに、上記の観点から、該浄水の体積と該気体層の占める体積との関係は、前者１に対して、後者が０．２以上であることが更に好ましい。この構成を採用することにより、第２筐体内の該ボンベを開封し、装置内を加圧する際、該気体層が加圧源となるため、消火機能としての役割を果たすことができる。
【００１６】
更に、上述の浄水供給装置は、該気体層の気体が酸素または窒素を含む混合気体からなることが好ましい。この構成を採用することにより、該ボンベを開封した際、気体層の気体は浄水に溶けることなく圧縮又は膨張を可能とするため、該気体層は該装置を消火装置として使用する際の加圧源となる。上述の混合気体の好ましい一態様は大気である。
【００１７】
また、上述の浄水供給装置は、第１筐体の底面が下に凸の曲面であることにより、第１筐体内の浄水は常に循環することになるため、浄水を滞留させることなく供給することができる。また、第１筐体の底面と第２流路に設けられた浄水供給用の導入口との距離が３ｍｍ以上１０ｍｍ以内であることが好ましい。この構成を採用することにより、装置内の浄水の循環を促進させることができる。さらに、消火装置として機能させる際、該装置内の浄水を残すことなくほぼ全部を使い切ることができる。尚、３ｍｍ未満の場合、浄水供給用の導入口より水を送り出す能力が低下する。また、該装置内の浄水の滞留を防止するために設ける装置底面に形成した曲面の曲率を十分に高めることが困難となる。他方、１０ｍｍを越えると、いわゆる「死に水」の問題が発生する危険性が高まるため、好ましくない。
【００１８】
また、上述の浄水供給装置は、第２筐体に圧力計を備えることが好ましい。加圧の際、該圧力計により不活性ガスボンベが正常に開封されたことの確認も含め、放水可能な圧力を維持しているかどうかの確認をする。また、上述の浄水供給装置は、第１筐体に水位計を備えることが好ましい。該水位計を備えることで、外部から容易に装置内の水量を把握することができる。
【００１９】
また、加圧の際、不活性ガスボンベからガスを送給可能とする流路と上水を上水供給用の導入口から浄水フィルターへ送給可能とする流路を共用する第１流路を備えている上述の浄水供給装置において、第１流路に逆止弁を備えることで、該導入口から送られてくる上水が、該不活性ガスボンベを収納している場所へ浄水が流出することを防ぐことができる。
【発明の効果】
【００２０】
本発明の浄水供給装置は、装置内に貯留する浄水に接するように気体層を設けることで、不活性ガスによる装置内の加圧を可能とし、消火装置としての機能を備えることができる。また普段は、浄水器として用いるため、常に該装置を目に届く場所に設置することができる。特に、家庭内における火災は台所が出火元となる場合が多いため、浄水器として台所に設置することにより、迅速な消火活動を行うことができ、いわゆる「初動の遅れ」を回避することができる。また、本体と水道管との間に逆止弁のついたコネクタを設けることにより、水道管から取り外すことができ、持ち運びも可能となる。これにより、住宅内のあらゆる場所で、初期消火への対応が可能になる。さらに、浄水器に貯水機能を備えることで、装置内の水は常に使用されていることから、特段のメンテナンスを行う必要がなく、地震等の災害発生時においては、当面の生活用水の確保が可能となる。これは災害時における最大の利点となる。勿論、本装置には浄水フィルターが備え付けてあるため、装置内の水は常に浄水であり、通常は健康飲料水の供給装置として利用される。
【発明を実施するための最良の形態】
【００２１】
以下、この発明の具体的な実施形態を、添付する図面に基づいて説明する。まず、図１乃至図３を参照しながら、本実施の形態における消火機能及び貯水機能を備えた浄水供給装置の構造について説明する。
【００２２】
図１は本実施の形態における消火機能及び貯水機能を備えた浄水供給装置の正面図、図２は図１における装置上部の拡大断面図、図３は図１における縦断側面図、図４は図１におけるコネクタ部の断面図、図５及び図６は、浄水供給装置の側面及び上面図、図７は図２におけるＡ−Ａ断面図である。
【００２３】
これらの図において、１００は消火機能及び貯水機能を備えた浄水供給装置、１は第１流路、２は第２流路、１０は第１筐体、２０は第２筐体、２１は上水供給用の導入口、２２は吐出口、２３は開閉弁、２６は吐出管、３０は不活性ガスボンベ、４０は気体層、５０はフィルター、６０はコネクタ、６１は第１逆止弁、６２は第２逆止弁、７０は浄水である。
【００２４】
図１に示すように、第１筐体１０と第２筐体２０はボルト２９で連結されている。該ボルトは公知のボルトから適宜選定される。第１筐体１０に、筐体内の水量を示す水位計１１を備えており、外部より水量の確認を行うことができる。第２筐体２０は、図１及び図２に示すように、吐出口２２と、該吐出口に内接された開閉弁２３と、該開閉弁の開閉を制御するレバー２４と、該吐出口から延設された吐出管２６と、該吐出管の先端に取り付けられたノズル２７を備えている。また、第２筐体２０は圧力計２８を備えているため、外部より装置内の圧力を確認することができる。さらに、上水供給用の導入口２１と水道管の間に図４に示すコネクタ６０が設けられており、該コネクタを取り外すことにより持ち運びが可能となる。また、該コネクタ６０は、上水供給用の導入口側と水道管側の双方に第１逆止弁６１及び第２逆止弁６２を備えているため、取り外した際、水道管及び本体からの上水の流出を防ぐことができる。
【００２５】
ところで、図２に示すように、連結された第１筐体１０と第２筐体１０の内部には、貯留された浄水７０と酸素又は窒素を含む混合気体からなる気体層４０が該浄水に接するように存在している。第２筐体２０の内部には不活性ガスボンベ３０を収納する収納庫３１があり、また、第２筐体２０は、該不活性ガスボンベを開封する開封機構を備えている。開封機構は、開封刃３２と、該開封刃と連結するボタン３３と安全栓３４とで構成されている。安全栓３４を抜くことでボタン３３は作動可能となり、該ボタンに連動し開封刃３２が該ガスボンベを開封する。また、上水は、上水供給用の導入口２１から浄水フィルター５０までの第１流路１を通り、該フィルターにより浄水化された後、第１筐体１０へ貯留される。尚、第１流路１は消火装置として使用する際は不活性ガスの流路ともなるため、第１流路１の一部は不活性ガスボンベ３０の収納庫３１にもつながっている。一方、浄水供給装置として使用する際は、第１流路１を通過する上水が不活性ガスボンベ３０の収納庫３１へ入り込まないよう、第１流路１に逆止弁３６を備えた。さらに、第２筐体２０は、浄水供給用の導入口２５から吐出口２２まで浄水の送給を可能とする第２流路２を備えている。これにより、第１筐体内の貯留した浄水７０を外部に送り出すことができる。尚、本実施の形態では、不活性ガスとして二酸化炭素及び二酸化炭素と窒素の混合気体を使用した。いずれのガスを用いても、消火装置として有効に機能することが確認できた。
【００２６】
本実施形態では、第１筐体１０と第２筐体２０はボルト２９により連結しているため、第２筐体２０を第１筐体１０から取り外すことが可能である。また、第２流路２の外周に取り付けられた浄水フィルター５０は交換可能であるため、常に浄水を供給することができる。さらに、第１筐体１０内も洗浄可能であり、水垢等の心配もなく、衛生面でも好ましい。また、第２筐体２０に収納される不活性ガスボンベの収納庫３１に、該ボンベを取り出し可能とする交換口３５を設けた。これにより、該ボンベの取替えが可能となり、何度でも消火機能として使用できるため、使いきりの消火器に比べて、経済的でもある。尚、該交換口は、開封機構と共用することも可能である。
【００２７】
尚、第１筐体１０及び第２筐体２０は、例えばステンレス、スチール及びアルミニウムの一群から選ばれる１種を採用することができるが、本実施の形態においては、ＳＵＳ３０４を使用した。さらに、吐出管２６の素材は、ステンレス、スチール及び樹脂の一群から選ばれる１種を採用することができるが、本実施の形態においては、ＳＵＳ３０４製のフレキシブルホースを使用した。また、浄水を吐出口２２に送給する第２流路２の一部は、例えばステンレス、スチール及びアルミニウムの一群から選ばれる１種を採用することができるが、本実施の形態においては、ＳＵＳ３０４を使用した。
【００２８】
本実施の形態を浄水供給装置として実施する場合、水道管より供給される上水は、上水供給用の導入口２１より第１流路１を通り浄水フィルター５０へ送られる。送られた上水は、図７に示すように、浄水フィルター内のケミカルフィルター５１、ミネラライザー５２及び中空糸膜フィルター５３を経て、浄水となり、第１筐体１０に貯留される。図１乃至図３に示すとおり、第１筐体１０に貯留された浄水７０は、レバー２４の開閉により、浄水供給用の導入口２５から第２流路２を通り、さらに吐出口２２から延設された吐出管２６を経て、ノズル２７より供給される。
【００２９】
本実施の形態を消火装置として利用する場合、図２及び図４に示すように、まず、水道管と上水供給用の導入口２１を連結するコネクタ６０で第２筐体２０と水道管を分離する。次に、安全栓３４を抜き、ボタン３３を押す。尚、コネクタ６０での分離を行う前に、ボタン３３により不活性ガスボンベ３２の開封が行うことができないよう、ボタン３３は水道管と接合したコネクタ６０と同じ側に設けられている。該ボタンに連動する開封刃３２が不活性ガスボンベ３０を開封する。不活性ガスは第１流路１を通り、第１筐体内へと送りこまれる。第１筐体内へ送り込まれた不活性ガスにより、上水に接する気体層４０が加圧され圧縮する。ここで、圧力計２８を確認した後、図１に示すレバー２４を「開」にすれば、加圧により圧縮された気体層４０が膨張することによって、第１筐体内に貯留された浄水７０は、図３に示す浄水供給用の導入口２５から第２流路２を通り、さらに吐出口２２を経て、吐出管の端に備えたノズル２７より勢いよく吐出する。また、該ノズルにおいて水量を調節することで、必要な箇所へ必要量を吐出させることができる。
【００３０】
本実施の形態を貯留装置として利用する場合、図２及び図４に示すように、水道管と上水供給用の導入口２１を連結するコネクタ６０により、第２筐体２０と水道管を分離して用いられる。第１筐体１０に貯留された浄水７０は、生活用水としてはもちろん、災害発生時の救助を得られるまでの間（例えば２４時間乃至７２時間）、飲料水として使用することが可能である。尚、浄水の供給経路は前述の浄水供給装置と同様である。
【００３１】
以上、この発明の実施の形態について具体的に説明したが、上述した実施の形態はこの発明を実施するための例示にすぎない。
【図面の簡単な説明】
【００３２】
【図１】この発明を適用した実施形態の一つである消火機能及び貯水機能を備えた浄水供給装置の正面図である。
【図２】図１における装置上部の拡大断面図である。
【図３】図１における縦断側面図である。
【図４】図１におけるコネクタ部の断面図である。
【図５】この発明を適用した実施形態の一つである浄水供給装置の側面図である。
【図６】この発明を適用した実施形態の一つである浄水供給装置の上面図である。
【図７】図２におけるＡ−Ａ断面図である。
【符号の説明】
【００３３】
１  第１流路  
２  第２流路  
１０  第１筐体  
１１  水位計
２０  第２筐体  
２１  上水供給用の導入口  
２２  吐出口  
２３  開閉弁  
２４  レバー
２５  浄水供給用の導入口
２６  吐出管  
２７  ノズル
２８  圧力計
２９  ボルト
３０  不活性ガスボンベ  
３１  収納庫
３２  開封刃
３３  ボタン
３４  安全栓
３５  交換口
３６  逆止弁
４０  気体層  
５０  浄水フィルター  
５１  ケミカルフィルター  
５２  ミネラライザー  
５３  中空糸膜フィルター  
６０  コネクタ  
６１  第１逆止弁  
６２  第２逆止弁  
７０  浄水
１００  消火機能及び貯水機能を備えた浄水供給装置
【図１】
2006289278.tif 000003
【図２】
2006289278.tif 000004
【図３】
2006289278.tif 000005
【図４】
2006289278.tif 000006
【図５】
2006289278.tif 000007
【図６】
2006289278.tif 000008
【図７】
2006289278.tif 000009